(57)【要約】【課題】キャビネットと壁面との隙間をすっきりとした状態で隠すことのできるフィラーを提供する。【解決手段】フィラー６は、洗面台のキャビネットに取り付けられる取付部７ａから壁面１ａ側へ向かって延びる板状部７ｂを有するフィラー本体７と、このフィラー本体７の板状部７ｂを差し込んで呑み込ませることのできる呑み込み部８ｂを有し、壁面１ａに固定可能な固定片８ａを備えたカバー８で構成されている。【選択図】図４
2013039327.tif 000002
【特許請求の範囲】
【請求項１】
キャビネットと壁面との隙間を隠すためのフィラーであって、
該フィラーは、前記キャビネットに取り付けられる取付部から前記壁面側へ向かって延びる板状部を有するフィラー本体と、
該フィラー本体の板状部を差し込んで呑み込ませることのできる呑み込み部を有し前記壁面に固定可能なカバーで構成されている
ことを特徴とするフィラー。
【請求項２】
前記請求項１に記載のフィラーの固定方法であって、
前記フィラー本体の板状部を前記カバーの呑み込み部内に深く差し込んだ状態で、該フィラー本体の取付部を前記キャビネットに固定した後、
フィラー本体の板状部に対し前記カバーの呑み込み部を前記壁面側へ引き出し、該カバーを壁面に当接させて固定する
ことを特徴とするフィラーの固定方法。
【発明の詳細な説明】
【技術分野】
【０００１】
本発明は、キャビネットと壁面との隙間を隠すためのフィラーおよびフィラーの固定方法に関するものである。
【背景技術】
【０００２】
従来、特許文献１に開示されているような、キャビネットの底板と床面との隙間を隠すことのできる隙間パッキンが存在する。
この隙間パッキンでは、キャビネット床板に固定したアウター部材にインナー部材を差し込んで、アウター部材からのインナー部材の引き出し量を調整することで、キャビネットの底板と床面との隙間を隠す構造となっている。
【先行技術文献】
【特許文献】
【０００３】
【特許文献１】特開２００８−１８８２２４号公報
【発明の概要】
【発明が解決しようとする課題】
【０００４】
上記特許文献１に開示されている隙間パッキンは、キャビネットの底板と床面との隙間を塞ぐものであり、キャビネットと壁面との隙間を隠すためのものではなく、また、インナー部材の下端を床面に当ててキャビネットの底板と床面との隙間を隠すものであって、床面に固定するものではないため、キャビネットと壁面との隙間にこのような構造を適用しても、確実にキャビネットと壁面との隙間を隠すことはできないものであった。
【課題を解決するための手段】
【０００５】
本発明は、キャビネットと壁面との隙間をすっきりとした状態で確実に隠すことのできるフィラーおよびフィラーの固定方法の提供を目的とし、この目的の少なくとも一部を達成するために以下の手段を採った。
本発明は、キャビネットと壁面との隙間を隠すためのフィラーであって、該フィラーは、前記キャビネットに取り付けられる取付部から前記壁面側へ向かって延びる板状部を有するフィラー本体と、該フィラー本体の板状部を差し込んで呑み込ませることのできる呑み込み部を有し前記壁面に固定可能なカバーで構成されていることを要旨とする。
【発明の効果】
【０００６】
フィラー本体の板状部の先端をカバーの呑み込み部内に差し込んで呑み込ませることで、フィラー本体の板状部の端部を隠すことができるとともに、フィラーの左右方向の幅寸法を現場で良好に調整でき、カバーは壁面にぴったりと固定させて納めることができ、キャビネットと壁面との隙間をすっきりとした状態で隠すことができる。
また、カバーを壁面に固定することで、フィラーの奥側への倒れを良好に防ぎ、壁面が垂直でない場合でも壁面へぴったりと納めることができるものとなる。
【０００７】
また、本発明のフィラーの固定方法は、フィラー本体の板状部をカバーの呑み込み部内に深く差し込んだ状態で、フィラー本体の取付部をキャビネットに固定した後、フィラー本体の板状部に対しカバーの呑み込み部を壁面側へ引き出し、カバーを壁面に当接させて固定することを要旨とする。
【０００８】
本発明のフィラーの固定方法では、フィラー本体の板状部をカバーの呑み込み部内に深く差し込んだ状態で、先にフィラー本体をキャビネット側に固設し、固設した後に、カバーを壁面側へ引き出してカバーを壁面に固定するものであるため、キャビネットを設置した後に、現場でのキャビネットと壁面との隙間に対応させて、フィラーを良好に施工することができるものとなる。
【図面の簡単な説明】
【０００９】
【図１】フィラーを介して壁面と壁面間に隙間なく洗面台を設置した状態の斜視構成図である。
【図２】洗面台の正面構成図である。
【図３】右側のフィラーを分解した状態の洗面台の斜視構成図である。
【図４】フィラーを構成するフィラー本体とカバーの差し込み状態の平面構成図である。
【図５】フィラー本体をキャビネットの縦フレームに取り付けた状態の平面構成図である。
【図６】フィラー本体を短く切断してカバーに差し込んだ状態の平面構成図である。
【発明を実施するための形態】
【００１０】
次に、本発明を実施するための形態を実施例を用いて説明する。
図１は、フィラーを用いて左右壁面間に隙間なく洗面台を設置した状態の斜視構成図であり、図２は、洗面台の正面拡大構成図である。
【００１１】
洗面台２は、奥側の壁面１ｂに背側を当接させた状態で左右側の壁面１ａ，１ｃ間に隙間なく設置されるものであり、洗面台２は、キャビネット３の上面にカウンター４が載置されて構成され、カウンター４には洗面ボウル４ａが設けられ、また、後方側には水栓５が立設されている。
キャビネット３は、アルミニウム製の縦フレームと横フレームで骨組みされたフレーム体を備え、フレーム体の一部が下方側へ延びる脚３ｃ，３ｃとなっており、フレーム体の左右側に側板３ａが、前面に扉３ｂが設けられている。
【００１２】
このキャビネット３の左右の側板３ａの前端側には、キャビネット３と壁面１ａ，１ｃとの間に生ずる隙間を隠すために、それぞれ左右にフィラー６，６が設置される。
フィラー６は、図３に分解図で示すように、フィラー本体７とカバー８で構成されている。
図４には、フィラー６の平面拡大構成図を示し、また、図５には、フィラー本体７をキャビネット３を構成する縦フレーム３０に取り付けた拡大平面図を示す。
【００１３】
フィラー６を構成するフィラー本体７は、キャビネット３の縦フレーム３０に取り付け可能な取付部７ａと、この取付部７ａから壁面１ａ側へ延びる板状部７ｂで構成されている。
フィラー本体７の取付部７ａは、平行状に後方側へ延びる一対の弾性片７１，７２を有し、弾性片７１，７２のそれぞれの後端側には、くの字状に弾着凸部７１ａ，７２ａがそれぞれ一体形成されており、弾着凸部７１ａは図示左側へ向いて突出し、弾着凸部７２ａは図示右側へ向いて突出している。
【００１４】
また、一対の弾性片７１，７２の左右側には、間隔をおいてそれぞれ後方側へ突出する係合凸部７３，７４が形成されている。
取付部７ａから壁面１ａ側へ連続して延びる板状部７ｂの裏面には、例えば２ｍｍピッチ間隔で溝７５，７５，７５が形成されている。
【００１５】
なお、キャビネット３を構成する縦フレーム３０の前面側は開放された前面開口３０ａとなっており、この前面開口３０ａに対し、前方側からフィラー本体７の取付部７ａを差し込んで、取付部７ａを縦フレーム３０に取り付け固定することができるものである。
縦フレーム３０の前端の左右外側には、それぞれ凹み状に係合凹部３０ｂ，３０ｂが形成されており、この左右の係合凹部３０ｂ，３０ｂ内にフィラー本体７の係合凸部７３，７４が嵌め込まれる。
【００１６】
また、前面開口３０ａから奥側へ差し込まれるフィラー本体７の弾性片７１，７２の弾着凸部７１ａ，７２ａが嵌まり込む弾着凹部３０ｃ，３０ｃが縦フレーム３０の内周面に形成されている。
即ち、縦フレーム３０に対しフィラー本体７の取付部７ａを前面側から押し込むと、縦フレーム３０の弾着凹部３０ｃ，３０ｃに取付部７ａ側の弾着凸部７１ａ，７２ａが弾着して係合され、同時に縦フレーム３０の係合凹部３０ｂ，３０ｂに対し取付部７ａ側の係合凸部７３，７４が当たり、これにより縦フレーム３０の前端にフィラー本体７が取り付けられるのである。
【００１７】
このフィラー本体７は、溝７５が２ｍｍピッチ間隔で形成されているため、現場におけるキャビネット３と壁面１ａ，１ｃ間の隙間に対応させて、溝７５に沿って現場で切断することにより、板状部７ｂの幅寸法を良好に調整することができるものである。
【００１８】
なお、フィラー６を構成するカバー８は、例えば両面テープを用いて壁面１ａ，１ｃに固定される固定片８ａと、固定片８ａから９０°の角度で一体形成された呑み込み部８ｂを備えている。
呑み込み部８ｂは、固定片８ａの前端から９０°の角度で延びる前側片８１と、この前側片８１に平行に後方側で固定片８ａから９０°の角度で延びる裏側片８２を備えており、前側片８１と裏側片８２間で呑み込み溝８３が形成されている。
この呑み込み部８ｂを形成する前側片８１と裏側片８２間の呑み込み溝８３内に、フィラー本体７の板状部７ｂの先端を差し込んで呑み込ませることができるように構成されている。
【００１９】
なお、図６は、フィラー本体７の板状部７ｂを現場で短い幅寸法に切断して、その先端をカバー８の呑み込み溝８３内に呑み込ませた状態の平面拡大構成図である。
なお、カバー８の呑み込み溝８３の左右方向の幅長は、壁面１ａが垂直でなく傾いている場合でも、その傾きによるズレを吸収する寸法に設定されており、本例では、この呑み込み溝８３の左右方向幅寸法ａは７ｍｍに設定されている。
【００２０】
このように呑み込み溝８３内にフィラー本体７の板状部７ｂの先端を差し込んで重ね合わせて、この呑み込み溝８３内へ差し込まれる板状部７ｂの重なり量で、左右方向の幅寸法を現場で良好に調整できるものである。
なお、板状部７ｂの先端は、カバー８の呑み込み溝８３内に差し込まれて呑み込ませることができるため、板状部７ｂの先端は良好に隠されて、板状部７ｂの切断した先端部が露出することはない。
【００２１】
なお、現場で施工する際に、現場の壁面１ｂにキャビネット３の背面側を固定させて、先にキャビネット３を設置した後に、フィラー６を施工して、キャビネット３と壁面１ａ，１ｃ間の隙間をフィラー６で埋めることができるものである。
即ち、フィラー本体７の板状部７ｂをカバー８の呑み込み溝８３内に深く差し込んでおき、この状態で、フィラー本体７の取付部７ａをキャビネット３を構成する縦フレーム３０の前面開口３０ａ内に前方から差し込んで、取付部７ａをキャビネット３に固設させ、その後に、フィラー本体７の板状部７ｂに対しカバー８を壁面１ａ或いは１ｃ側へ引き出して、カバー８の固定片８ａを壁面１ａ（１ｃ）に当接させ、両面テープ等を用いて固定片８ａを壁面１ａ（１ｃ）に固定することで、キャビネット３の設置後においてフィラー６によりキャビネット３と壁面１ａ（１ｃ）間の隙間を確実に隠すことができる。
【００２２】
カバー８の固定片８ａは壁面１ａ（１ｃ）に固定されるため、フィラー本体７が樹脂等の素材で形成されている場合にも、手前側からフィラー６に荷重を加えても奥（後方）側へフィラー６が倒れたり変形することがなく、強固なフィラー６の設置状態が得られるものである。
また、壁面１ａ（１ｃ）が倒れているような場合でも、カバー８は壁面１ａ（１ｃ）に固定されるため、フィラー６をぴったりと壁面１ａ（１ｃ）に納めることができるものとなる。
【００２３】
なお、図３に示すように、フィラー本体７の上端側には、キャビネット３の上面に載置されるカウンター４の前端の前垂れ部４ｂが重ね合わされて、フィラー本体７の上端側は隠され、また、キャビネット３の前面の扉３ｂによってもフィラー本体７の取付部７ａの前面の一部が隠されて、フィラー６の設置状態は極めてすっきりしたものとなる。
【符号の説明】
【００２４】
１ａ，１ｂ，１ｃ  壁面
２  洗面台
３  キャビネット
３ａ  側板
３ｂ  扉
３ｃ  脚
４  カウンター
４ａ  洗面ボウル
５  水栓
６  フィラー
７  フィラー本体
７ａ  取付部
７ｂ  板状部
８  カバー
８ａ  固定片
８ｂ  呑み込み部
３０  縦フレーム
３０ａ  前面開口
３０ｂ  係合凹部
３０ｃ  弾着凹部
７１，７２  弾性片
７１ａ，７２ａ  弾着凸部
７３，７４  係合凸部
７５  溝
８１  前側片
８２  裏側片
８３  呑み込み溝
【図１】
2013039327.tif 000003
【図２】
2013039327.tif 000004
【図３】
2013039327.tif 000005
【図４】
2013039327.tif 000006
【図５】
2013039327.tif 000007
【図６】
2013039327.tif 000008